(57)【要約】      （修正有）【課題】衣類の輸送・配送における作業を著しく簡略化することができ、また、衣類の輸送・配送コストを軽減することができ、さらに、衣類の輸送・配送における廃棄物を低減し、環境問題にも配慮することができる、衣類を輸送する際に使用することを目的とした衣類用の収納袋（ハンガーバッグ）を提供する。【解決手段】収納袋１は、その内側に設けられた仕切り３，４によって、衣類を収納するための複数の収納空間Ｓ１〜Ｓ３が形成されており、また、収納袋１を吊り下げて輸送できるようにするためのハンガー２を取り付ける。【選択図】図２
0003159885.tif 000002
【実用新案登録請求の範囲】
【請求項１】
衣類を輸送する際に使用することを目的とした衣類用の収納袋であって、当該収納袋には、その内側に設けられた仕切りによって、衣類を収納するための複数の収納空間が形成されており、また、当該収納袋には、当該収納袋を吊り下げて輸送できるようにするためのフックが取り付けられるようになっていることを特徴とする、衣類用の収納袋。
【請求項２】
フックを取り付けた前記収納袋を、当該フックを利用して吊り下げた場合において、当該収納袋の外側の大きさが、鉛直方向において８０〜１６０ｃｍの範囲内、水平方向において４０〜６０ｃｍの範囲内であることを特徴とする、請求項１記載の衣類用の収納袋。
【請求項３】
前記収納袋の内側における前記仕切りが、前記フックを利用して吊り下げた場合における水平方向にのみ設けられており、これにより、前記フックを利用して吊り下げた場合において、前記収納袋において形成される複数の収納空間が、前記フックを利用して吊り下げた場合における鉛直方向に１個毎に並ぶように構成されていることを特徴とする、請求項２記載の衣類用の収納袋。
【考案の詳細な説明】
【技術分野】
【０００１】
本考案は、衣類を輸送する際に使用することを目的とした衣類用の収納袋（ハンガーバッグ）に関するものであって、特に、衣類の輸送・配送における作業を著しく簡略化することができ、また、衣類の輸送・配送コストを軽減することができ、さらに、衣類の輸送・配送における廃棄物を低減し、環境問題にも配慮することができる衣類用の収納袋に関するものである。
【背景技術】
【０００２】
従来より、衣類の輸送や配送を行う場合、スーツやコート等のように、ハンガーに吊り下げた状態で展示・販売等を行う衣類については、ハンガーに吊り下げたまま輸送や配送を行うことが一般的となっている。一方、シャツや、靴下、ベルトなどの小物類等、ハンガーに吊り下げた状態では、展示・販売等を行わない衣類については、これらを段ボール箱に収納・梱包し、輸送や配送を行うことが一般的となっている。
【０００３】
しかしながら、段ボール箱による衣類の輸送や配送においては、次のような問題があることが知られている。まず、第一の問題は、その作業の煩雑さである。段ボール箱によって、衣類を輸送・配送する場合、その衣類の数量や大きさに応じた段ボール箱の選定、衣類の収納・梱包といった作業が必要となる。特に、衣類には様々な大きさのアイテムが存在することから、段ボール箱の選定は、決して容易な作業とは言えず、また、衣類の収納後、段ボール箱内において余剰空間が生じる場合には、段ボール箱内への適量な緩衝材の封入等といった作業も必要となり、輸送・配送に従事する者にとって煩雑な作業が要求されることとなってしまっている。
【０００４】
また、第二の問題として、輸送・配送コストの問題がある。段ボール箱によって、衣類を輸送・配送する場合、前述したように、その衣類の数量や大きさ、また、選定した段ボール箱によっては、余剰空間が生じることがあり、これが無駄な輸送・配送コストを生じさせる原因となってしまっている。この問題は、ハンガーに吊り下げた状態で展示・販売等を行う衣類については顕著なものとはならず、段ボール箱によって輸送や配送を行う衣類について特に生じる問題である。なお、この問題は、一見すると、一個の段ボール箱に可能な限り衣類を詰め込むことによって解決できるようにも思われるが、このような方法は、現実的なものではない。なぜなら、近年の衣類の輸送・配送においては、消費者嗜好の多様化に合わせ、衣類を１個ずつ別の場所に運ばなくてはならない場合も数多くあるため、一個の段ボール箱に可能な限り衣類を詰め込んだ場合、その衣類を、輸送・配送の途中で仕分けする必要等が生じてしまい、却って、輸送・配送コストが高くなってしまうからである。
【０００５】
さらに、第三の問題として、廃棄物の問題がある。段ボール箱によって、衣類を輸送・配送する場合、輸送・配送後の段ボール箱については、廃棄処理することが一般的となっており、昨今の環境重視の下においては、これにより生じる段ボール廃棄物が問題となっていた。なお、この問題については、段ボール箱の再利用によって、いくらか軽減することもできるが、この場合は、衣類の輸送・配送時における段ボール箱の選定の自由度を制限することとなり、また、箱の形状を維持したままだと、保管・管理のコストが発生し、一方、保管時に箱を畳むようにすると、衣類の収納・梱包作業が繁雑となり、前述した第一、及び、第二の問題にも影響を及ぼすことにもなってしまう。
【０００６】
本考案者は、このような実情のもと、衣類の輸送や配送を効率良く行える手段・方法について、鋭意検討を重ねた。その結果、本考案者は、今までには存在しなかった、まったく新しい構成をした衣類用の収納袋を使用することによって、前掲のような問題を解決できる、という知見を得、本考案を創作するに至った。
【考案の概要】
【考案が解決しようとする課題】
【０００７】
本考案は、衣類の輸送・配送における作業を著しく簡略化することができ、また、衣類の輸送・配送コストを軽減することができ、さらに、衣類の輸送・配送における廃棄物を低減し、環境問題にも配慮することができる、衣類を輸送する際に使用することを目的とした衣類用の収納袋（ハンガーバッグ）を提供することを目的とする。
【課題を解決するための手段】
【０００８】
そのための手段として、本考案に係る衣類用の収納袋（ハンガーバッグ）は、その内側に設けられた仕切りによって、衣類を収納するための複数の収納空間が形成されており、また、当該収納袋には、当該収納袋を吊り下げて輸送できるようにするためのフックが取り付けられるようになっていることを特徴としている。
【０００９】
なお、本考案に係る衣類用の収納袋（ハンガーバッグ）は、前記フックを利用して吊り下げた場合において、当該収納袋の外側の大きさが、鉛直方向において８０〜１６０ｃｍの範囲内、水平方向において４０〜６０ｃｍの範囲内であることも特徴としている。
【００１０】
また、本考案に係る衣類用の収納袋（ハンガーバッグ）は、以上の場合において、前記収納袋の内側における前記仕切りが、前記フックを利用して吊り下げた場合における水平方向にのみ設けられており、これにより、前記フックを利用して吊り下げた場合において、前記収納袋において形成される複数の収納空間が、前記フックを利用して吊り下げた場合における鉛直方向に１個毎に並ぶように構成されていることも特徴としている。
【考案の効果】
【００１１】
本考案によれば、衣類の輸送・配送における作業を著しく簡略化することができ、また、衣類の輸送・配送コストを軽減することができ、さらに、衣類の輸送・配送における廃棄物を低減し、環境問題にも配慮することができる、衣類を輸送する際に使用することを目的とした衣類用の収納袋を提供することができる。
【図面の簡単な説明】
【００１２】
【図１】本考案の実施形態に係る衣類用の収納袋１の外観図
【図２】収納袋１の内部が理解できるように示した図
【考案を実施するための形態】
【００１３】
以下、添付図面に沿って、本考案に係る衣類用の収納袋を実施するための形態について説明する。図１は、本考案の実施形態に係る衣類用の収納袋１の外観図を、また、図２は
、収納袋１の内部が理解できるように示した図である。なお、収納袋１を構成する素材は、軽くて柔らかく、かつ、一定の強度を有するようなもの、例えば、不織布等を使用することが好ましい。ただし、本考案において、収納袋１の素材が限定されることは無い。
【００１４】
これらの図に示されているように、収納袋１には、これを吊り下げて輸送できるようにするためのフックとして機能するハンガー２が取り付けられている。そして、ハンガー２は、収納袋１の上部に設けられた貫通孔１ａから、そのフック部分のみが突出するようになっており、収納袋１は、いわゆる「ツーリストバッグ（スーツバッグ）」のように、ハンガー２の肩部においてぶら下がるような構成となっている。
【００１５】
なお、以下においては、収納袋１について、「水平方向」や「鉛直方向」といった語を使用して説明するが、この場合、「水平方向」とは、図１及び図２を正面から見た場合における左右の横方向を意味するものであって、ハンガー２を利用して収納袋１を吊り下げた場合における水平方向を意味するものとする。また、「鉛直方向」とは、図１及び図２を正面から見た場合における上下の縦方向を意味するものであって、ハンガー２を利用して収納袋１を吊り下げた場合における鉛直方向を意味するものとする。
【００１６】
収納袋１は、その横側において、鉛直方向に沿って、線ファスナー３が取り付けられており、この線ファスナー３のタブ（引き手）３ａを鉛直方向に沿って動かすことによって、収納袋１の横側を自在に開閉できるように構成されている。
【００１７】
また、収納袋１は、その内側において、水平方向に設けられた第一の仕切り４と、同じく水平方向に設けられた第二の仕切り５とによって仕切られており、これにより、収納袋１の内側において、三つの収納空間Ｓ１、Ｓ２、Ｓ３が形成され、これらが、鉛直方向に１個毎に並ぶような構成となっている。
【００１８】
なお、第一の仕切り４は、収納袋１の内側面を縫い合わせることによってできており、また、第二の仕切り５は、面ファスナーによって収納袋１の内側面を合わせることによってできている。従って、第二の仕切り５については、面ファスナーを剥がすことによって、これを取り外し、収納空間Ｓ２及びＳ３を結合させることができ、これにより、収納袋１全体において、二つの収納空間を形成することもできるようになっている。
【００１９】
そして、収納袋１を使用する際は、線ファスナー３のタブ３ａを動かして、収納袋１を開き、収納袋１の横側から、収納空間Ｓ１乃至Ｓ３に、スラックスやシャツ等を入れ、その後、タブ３ａを動かして収納袋１を閉じることによって、収納袋１によって、衣類を輸送・配送することができるようになっている。なお、当然ながら、この場合、収納袋１は、ハンガー２のフックを利用して、吊り下げられた状態で使用される。
【００２０】
なお、図１及び図２において、６は、伝票や送り状を入れるためのポケットを、７は、シール貼付用のプラスチックシートを、それぞれ示している。また、８は、収納袋１に設けられたリングである。このリング８と、線ファスナー３のタブ３ａに設けられた孔とに、一度締結したら外すことのできないような構造をした結束ひも等を通すことによって、収納袋１を自在に開けられないようにし、予期しない収納袋１の開放による衣類の紛失や、収納した衣類の盗難防止等を図ることも可能な構成とすることもできる。
【００２１】
なお、以上の実施形態において、収納袋１は、その鉛直方向における外側の大きさＨが、８０〜１６０ｃｍの範囲内、その水平方向における外側の大きさＷが、４０〜６０ｃｍの範囲内とすることが好ましい。これは、この範囲内の大きさにすることによって、収納袋１が、ハンガーに吊り下げられたまま輸送や配送されるスーツやコート等と同様の大きさとなり、収納袋１をハンガーに吊り下げたまま輸送や配送を行うことができ、本考案の課題の解決に寄与できるからである。
【００２２】
また、以上の実施形態においては、ハンガー２を、吊り下げて輸送できるようにするためのフックとして使用しているが、当該フックは、吊り下げられるように構成されている物であれば、ハンガー以外のもの、例えば単なるフックのみからなる物を使用しても構わない。要は、収納袋１を吊り下げて輸送できるようにするためのものであれば良いからである。
【００２３】
さらに、以上の実施形態において、第一の仕切り４を縫い合わせによって、また、第二の仕切り５を面ファスナーによって構成することとしているが、これらは、いずれも縫い合わせにしたり、いずれも面ファスナーにしたりすることも可能である。また、これらの仕切りにおいて、線ファスナーを使用するようにしても構わない。さらに、以上の実施形態においては、収納空間を三つ形成することとしているが、目的に合わせて収納空間の大きさを変化させ、四つ以上の複数の収納空間を形成できるような構成としても構わない。
【００２４】
また、以上の実施形態においては、収納袋１そのものの開閉において、線ファスナー３を使用することとしているが、これにも、面ファスナーを使用したり、スナップ釦等を使用しても構わない。要は、簡易に収納袋１を開閉できるような構成となっていれば、公知のどのような手段を採用することも可能である。
【００２５】
さらに、本発明に係る収納袋１については、その内側において、内側全体を鉛直方向に沿って分断するような仕切りを設けることによって、収納空間を二倍に増やすことも可能である。また、増やした収納空間においては、第一の仕切り４、及び、第二の仕切り５を設けないようすることで、スーツやコート等といった長尺の衣類を収納できるような構成とすることも可能である。
【００２６】
なお、本考案は、当然ながら、以上の実施形態で説明した収納袋１や、図示された収納袋１に限定されるものではなく、また、本考案の範囲には、本考案の技術的思想が具現化されたものも含まれるものとする。
【符号の説明】
【００２７】
１：収納袋、
２：ハンガー、
３：線ファスナー、
３ａ：線ファスナー３のタブ（引き手）
４：第一の仕切り、
５：第二の仕切り、
６：ポケット、
７：プラスチックシート
８：リング、
Ｓ１〜Ｓ３：収納空間、
Ｈ：収納袋１の鉛直方向における外側の大きさ、
Ｗ：収納袋１の水平方向における外側の大きさ、
【産業上の利用可能性】
【００２８】
本考案に係る衣類用の収納袋は、以上のような構成となっているので、段ボール箱による衣類の輸送や配送において生じる問題が起こることがない。従って、本考案によれば、衣類の輸送・配送における作業を著しく簡略化することができ、また、衣類の輸送・配送コストを軽減することができ、さらに、衣類の輸送・配送における廃棄物を低減し、環境問題にも配慮することができる、衣類を輸送する際に使用することを目的とした衣類用の収納袋を提供することができる。
【図１】
0003159885.tif 000003
【図２】
0003159885.tif 000004